(57)【要約】【課題】システムの運用を停止せずに、回線試験結果を得られる通信システムを提供する。【解決手段】親局は、常時、一斉指令の起動信号若しくは制御用キャリアに回線試験データを重畳し、子局へ送信する。子局は、親局の制御用キャリアを受信しているときに、回線試験データと受信レベルを測定する。また、子局は、予め指定した時刻に回線試験データと受信レベルを測定した結果を親局へ通知する。親局は、子局から通知された回線試験データと受信レベルを表示装置に表示することにより、通信システムの運用を停止せずに子局の回線状態の詳細を把握可能である。【選択図】図２
2010141505.tif 000002
【特許請求の範囲】
【請求項１】
親局と複数の子局が有線回線若しくは無線回線で接続し、親局から子局へ制御用キャリアを常時所定の時間間隔で送信する通信システムにおいて、前記親局は前記制御用キャリアに回線試験データを重畳し、前記子局は前記制御用キャリアに重畳された回線試験データに基づいて回線試験データと受信レベルを測定し、予め指定した時刻に前記親局へ通知する通信システムの回線試験方法。
【発明の詳細な説明】
【技術分野】
【０００１】
本発明は、通信システムに関わり、特に、回線試験に関するものである。
【背景技術】
【０００２】
従来、例えば、防災行政無線システム等、親局と隔地に設置された複数の子局との間を無線回線若しくは有線回線で接続し、災害発生等の緊急時に親局から子局に、発生した災害に対する指令を一斉に通知する（一斉指令する）通信システムがあった。
このような通信システムでは、通信状態を試験して確認する手段（テストモード実行手段及びモード切替手段）を備え、上記一斉指令が可能な状態（運用中の状態）の他に、親局と各子局との回線試験を行う状態、即ち、テストモードと呼ばれる状態を備えるものがある（特許文献１参照。）。
上記回線試験の従来例を、図４によって説明する。図４は、従来の回線試験のシーケンスの一例を示す図で、通信システムとして、親局無線装置を備える親局と２台の子局（子局Ａ及び子局Ｂ）で構成されている。図４は、上から下方向に時刻が推移する（上から下になるほど新しい時刻である）。
【０００３】
図４において、シーケンスの初めは、親局と２つの子局は、運用中の状態である。
回線試験を実施するとき、親局は、親局無線装置から、子局Ａ及び子局Ｂそれぞれの子局無線装置に対し、テストモード開始を示す信号（テストモード起動信号）を一斉指令で送信することによって、テストモードの設定を開始する（ステップＳ４０１）。このテストモード起動信号を受信した子局無線装置の子局Ａ及び子局Ｂはそれぞれ、運用中の状態から運用停止の状態に移行し（ステップＳ４０２）、子局Ａ及び子局Ｂはそれぞれ、回線試験データを測定する測定器を接続する（ステップＳ４０３）。次に、親局無線装置は、回線試験データの送信を開始する（ステップＳ４０４）。
なお、図４において、子局ＢのステップＳ４０３〜ステップＳ４０５までは、子局Ａと同様なので、その動作説明に対して特に図示しない。
【０００４】
親局から回線試験データを受信した子局Ａ及び子局Ｂはそれぞれ、受信の都度、受信した回線試験データに基づいて、測定器で測定する（ステップＳ４０５）。
親局無線装置は、全ての回線試験データの送信を終了した後、回線試験データ送信終了を示す信号を一斉指令で送信する（ステップＳ４０６）。
回線試験データ送信終了を示す信号を受信した（ステップＳ４０７）子局無線装置の子局Ａ及び子局Ｂはそれぞれ、測定結果を当該回線試験データに付加された指定された時刻に、それぞれの子局無線装置から親局無線装置に送信し、全ての測定結果の送信が終了後測定器を開放し、運用中の状態に復帰する（ステップＳ４０８）。
親局は、全ての子局から、全ての測定結果を受信後、テストモードを終了して運用開始を示す信号を子局に一斉指令で送信し、運用中の状態に復帰する（ステップＳ４０９）。運用開始を示す信号を受信した子局は、運用を開始する（ステップＳ４１０）。
なお、上記の説明では、子局は、２台であったが、この数に限らないことは勿論である。
【０００５】
上述のような従来例としては、例えば特許文献１があり、通信システムの一斉指令の送信の際、一斉指令の起動信号に回線試験データを重畳して複数の子局に送信し、複数の子局それぞれは、一斉指令を受信すると共に、指令に重畳して送信された回線試験データを受信して親局との間の回線状態を把握して回線試験データの受信結果を作成し、一斉指令に対する確認信号を送信する際、受信した回線試験データの受信結果を返送し、親局は、子局それぞれで重畳され返送された回線試験データの受信結果を基に、子局それぞれとの間の回線状態を把握することが記載されている。
【０００６】
【特許文献１】特開２００８−９１９９０号公報
【発明の開示】
【発明が解決しようとする課題】
【０００７】
上述の従来技術には、回線試験を行うときに、運用中の状態から親局をテストモードに設定する必要があり、通信システムの運用が停止するという欠点があった。
本発明は、これらの欠点を除去し、制御用キャリアに回線試験データを重畳し、子局で回線試験データの測定と受信レベルを測定し、予め指定した時刻に親局へ通知することにより、親局と子局の回線状態の把握を行うことにより、運用が停止しない通信システムの提供を目的とする。
【課題を解決するための手段】
【０００８】
上記の目的を達成するため、本発明の通信システムの回線試験方法は、親局と複数の子局が有線回線若しくは無線回線で接続し、親局から子局へ制御用キャリアを常時所定の時間間隔で送信する通信システムにおいて、前記親局は前記制御用キャリアに回線試験データを重畳し、前記子局は前記制御用キャリアに重畳された回線試験データに基づいて回線試験データと受信レベルを測定し、予め指定した時刻に前記親局へ通知するものである。
また、本発明の通信システムの回線試験方法は、一斉指令の起動信号に回線試験データを重畳し、確認信号に回線試験データの試験結果と受信レベルを重畳するようにしたものである。
また好ましくは、回線試験データは、どのようなデータでも良く、例えば、ＢＥＲ等のビット誤り率等が挙げられる。
【発明の効果】
【０００９】
本発明によれば、通信システムの運用を停止せずに、親局で、子局の回線状態を把握可能となった。
【発明を実施するための最良の形態】
【００１０】
以下、この発明の一実施例を説明する。
本発明に使用する通信システムの構成を、図１によって説明する。図１は、本発明の一実施例の構成を示すブロック図である。１０１は親局、１０２−１〜１０２−ｎは子局、１０３は親局１０１の親局無線装置、１０４は親局１０１の表示装置、１０８は親局１０１の親局制御装置、１０５−１〜１０５−ｎは子局１０２−１〜１０２−ｎそれぞれの子局無線装置、１０６−１〜１０６−ｎは子局１０２−１〜１０２−ｎのそれぞれの測定部、１０９−１〜１０９−ｎは子局１０２−１〜１０２−ｎのそれぞれの子局制御装置、１０７は回線である。なお、ｎは２以上の自然数である。また、回線１０７は、有線回線若しくは無線回線である。
【００１１】
図１の通信システムにおいて、これら親局１０１と複数の子局１０２−１〜１０２−ｎは、有線若しくは無線の回線１０７を介して互いに接続されており、例えば、災害発生等の緊急時において、親局１０１からの指令を、複数の子局１０２−１〜１０２−ｎに対して、一斉に、伝達することができる。また子局１０２−１〜１０２−ｎは、それぞれの子局無線装置１０５−１〜１０５−ｎによって、親局１０１又は子局同士で通信することができる。
親局１０１は、通信システム運用中は、常時、所定の時間間隔で、制御用キャリアを子局１０２−１〜１０２ｎそれぞれの子局無線装置１０５−１〜１０５−ｎに送信している。
また、親局１０１は、一斉指令の起動信号を子局１０２−１〜１０２−ｎに送信し、受信した子局は確認信号を親局１０１に、予め定められた時刻若しくは親局１０１から指定された時刻に、それぞれ送信する。子局１０２−１〜１０２−ｎから確認信号を受信した親局１０１は、一斉指令の内容を任意の時間、送信する。
【００１２】
また、親局制御装置１０８は、親局１０１を制御し、子局制御装置１０９−１〜１０９−ｎは、それぞれの対応する子局１０２−１〜１０２−ｎを制御する。また、使用者は、親局制御装置１０８若しくは子局制御装置１０９−１〜１０９−ｎを、図示しない入出力装置を使って操作することができる。
さらに親局１０１の表示装置１０４は、例えば、各子局１０２−１〜１０２−ｎから得られた回線試験データと受信レベルを、親局制御装置１０８の制御によって表示する。表示装置１０４は、親局無線装置１０３が受信した子局１０２−１〜１０２−ｎからの回線試験の測定結果及び受信レベルの測定結果を、受信の都度、表示情報を更新する。従って、表示装置１０４を見ることで、親局１０１では、子局１０２−１〜１０２−ｎとの回線状況の詳細を、迅速かつ容易に、把握可能である。
また、子局１０２−１〜１０２−ｎは、子局無線装置１０５−１〜１−５−ｎ、測定部１０６−１〜１０６−ｎ、及び子局制御装置１０９−１〜１０９−ｎの他に、入出力装置（図示しない）として、それぞれ、電話機、ファクシミリ、表示部、マイク、スピーカ、等を備える。
【００１３】
次に、本発明の一実施例を、図２によって説明する。図２は、本発明の回線試験のシーケンスの一実施例を示す図で、通信システムとして、親局無線装置を備える親局１０１とｎ台の子局（図２では、子局１０２−１と子局１０２−ｎで代表して説明する）で構成されている。図２は、上から下方向に時刻が推移する（上から下になるほど新しい時刻である）。なお、図２のシーケンスの制御は、それぞれの制御装置１０８と１０９−１〜１０９ｎがそれぞれ実行する。
図２において、親局１０１は、常時、送信する信号の一斉指令の起動信号に回線試験データを重畳し、親局無線装置１０３が、回線１０７を介して、子局無線装置１０５−１〜１０５−ｎに送信している。
【００１４】
図２におけるシーケンスの状態は、親局１０１と子局１０２−１〜子局１０２−ｎは、常に運用中の状態である。即ち、子局１０２−１〜子局１０２−ｎは、一斉指令の待ち受け中である。
図２において、親局１０１は、一斉指令の起動信号に回線試験データを重畳し、親局無線装置１０３が、回線１０７を介して、子局無線装置１０５−１〜１０５−ｎに送信する（ステップＳ２０１）。
子局無線装置１０５−１は、一斉指令の起動信号を受信し、子局制御装置１０９−１に、受信した起動信号と回線試験データを出力する（ステップＳ２０２）。同様に、子局無線装置１０５−ｎは、一斉指令の起動信号を受信し、子局制御装置１０９−ｎに受信した起動信号と回線試験データを出力する（ステップＳ２０３）。
【００１５】
この状態（ステップＳ２０２、Ｓ２０３）で、子局無線装置１０５−１〜１０５−ｎは、一斉指令の起動信号を受信した場合には、受信した起動信号のデータと重畳された回線試験データをそれぞれの子局制御装置１０９−１〜１０９−ｎに出力する。この結果、子局１０２−１〜１０２−ｎは、起動信号のデータを入力された子局制御装置１０９−１〜１０９−ｎの制御により、測定部１０６−１〜１０６−ｎ、及び入出力装置、等を起動し、親局１０１の親局無線装置１０３から送信される一斉指令を受信可能な状態に設定される。
【００１６】
さらに、子局１０２−１の制御装置１０９−１は、測定部１０６−１を制御して、受信した一斉指令の起動信号に重畳された回線試験データに基づいて、回線試験データの測定と受信レベルの測定を行う（ステップＳ２０４〜Ｓ２０８）。そして、それらの測定結果を、確認信号に重畳して親局１０１に、予め定められた時刻若しくは親局１０１から指定された時刻に、送信する（ステップＳ２０９）。他の子局１０２−２〜１０２−ｎも、子局１０２−１と同様な処理を実行する。即ち、子局１０２−１〜１０２−ｎは、親局１０１から送信された一斉指令の起動信号に重畳された回線試験データに基づいて、それぞれ測定を行い、それぞれの確認信号の送信タイミングで、測定結果を確認信号に重畳して、それぞれ親局１０１に送信する。
親局１０１は、子局１０２−１〜１０２−ｎから通知された回線試験データと受信レベルを受信し（ステップＳ２１０）、表示装置１０４に表示する（ステップＳ２１１）。
【００１７】
上記実施例のように、親局は、常時、一斉指令の起動信号に回線試験データを重畳し、子局へ送信する。子局は、親局の一斉指令の起動信号を受信しているときに、回線試験データと受信レベルを測定する。また、子局は、予め指定した時刻に回線試験データと受信レベルを測定した結果を親局へ通知する。親局は、子局から通知された回線試験データと受信レベルを表示装置に表示することにより、通信システムの運用を停止せずに子局の回線状態の詳細を把握可能である。
回線試験データは、どのようなデータでも良く、例えば、ＢＥＲ等のビット誤り率等が挙げられる。
【００１８】
なお、上述の実施例では、一斉指令の起動信号に回線試験データが重畳され、起動信号を受信した子局が回線試験データの測定と受信レベルの測定を行い、親局に測定結果を送信していた。しかし、本発明の他の実施例では、図３に示すシーケンスのように、所定の時間間隔で常時送信する制御用キャリアに回線試験データを重畳し、親局１０１の親局無線装置１０３から、子局１０２−１〜１０２−ｎそれぞれの子局無線装置１０５−１〜１０５−ｎに送信し（ステップＳ３０１）、受信した子局１０２−１〜１０２−ｎ（ステップＳ３０２、Ｓ３０３）は、受信した制御用キャリアに重畳された回線試験データに基づいて、回線試験データの測定と、受信レベルの測定を行い（ステップＳ２０４〜Ｓ２０８）、予め定められた時刻にそれぞれの子局１０２−１〜１０２−ｎが親局１０１に、測定結果を送信する（例えば、ステップＳ３０９）ことができる。
【００１９】
親局１０１は、子局１０２−１〜１０２−ｎから通知された回線試験データと受信レベルを受信し（ステップＳ３１０）、表示装置１０３に表示する（ステップＳ３１１）ことにより、所定の周期で、常に、通信システムの運用を停止せずに子局１０２−１〜１０２−ｎの回線状態の詳細を、一斉指令以外のときでも、所定の周期で、常に、把握可能となる。
この結果、親局は、回線試験データの測定結果と受信レベルの測定結果を、迅速に、かつ、所定の時間間隔で、常時、把握することができる。
【図面の簡単な説明】
【００２０】
【図１】本発明の通信システムの構成の一実施例を示すブロック図。
【図２】本発明の回線試験のシーケンスの一実施例を示す図。
【図３】本発明の回線試験のシーケンスの一実施例を示す図。
【図４】従来の回線試験のシーケンス一例を示す図。
【符号の説明】
【００２１】
１０１：親局、  １０２−１〜１０２−ｎ：子局、  １０３：親局無線装置、  １０４：表示装置、  １０５−１〜１０５−ｎ：子局無線装置、  １０６−１〜１０６−ｎ：測定部、  １０７：回線、  １０８：親局制御装置、  １０９−１〜１０９−ｎ：子局制御装置。
【図１】
2010141505.tif 000003
【図２】
2010141505.tif 000004
【図３】
2010141505.tif 000005
【図４】
2010141505.tif 000006